(57)【要約】  この発明の貨幣処理装置１は、貨幣が入金されるホッパー３と、貨幣が出金される出金口８，１８と、ホッパー３から入金される貨幣の金種を識別するための識別ユニット５と、第１金種としての１００元紙幣だけのために設けられた束収納庫３５と、紙幣をバラで収納するバラ収納庫９と、帯封用集積部１５，１６と、帯封装置１７とを備える。そして、識別ユニット５により認識された１００元紙幣は、搬送路により直接帯封用集積部１５，１６へ搬送させ、帯封装置１７で紙幣束にされて、束収納庫３５へ収納される。
2009118838.tif 000002
【特許請求の範囲】
【請求項１】
貨幣を処理するための貨幣処理装置であって、
貨幣が入金される入金口と、
貨幣が出金される出金口と、
前記入金口から入金される貨幣の金種を識別するための識別ユニットと、
第１金種の貨幣だけのために設けられた束収納庫と、
第２金種の貨幣のために設けられたバラ収納庫と、
所定枚数の貨幣を整理して貨幣束にまとめるまとめ装置と、
前記入金口から入金される貨幣を前記識別ユニット、バラ収納庫、束収納庫、まとめ装置または出金口へと搬送するための搬送路と、
前記識別ユニットにより第１金種と認識された貨幣を、前記搬送路により前記まとめ装置へ搬送させ、まとめ装置がまとめた貨幣束を前記搬送路により前記束収納庫へ搬送させる第１の入金処理手段と、
前記識別ユニットにより第２金種と認識された貨幣を、前記搬送路により前記バラ収納庫へ搬送させる第２の入金処理手段と、
を含むことを特徴とする貨幣処理装置。
【請求項２】
出金指示の入力に応答して、第１金種の貨幣は、前記束収納庫から貨幣束を繰り出させ、第２金種の貨幣は、前記バラ収納庫から貨幣を繰り出させ、前記まとめ装置によって貨幣束にまとめさせる出金処理手段と、
を含むことを特徴とする、請求項１記載の貨幣処理装置。
【請求項３】
第１金種のために設けられた第１金種用バラ収納庫をさらに有し、
所定の指令に応答して、前記識別ユニットにより第１金種と識別された貨幣を、前記搬送路により前記第１金種用バラ収納庫へ搬送させる第３の入金処理手段、を含むことを特徴とする請求項１記載の貨幣処理装置。
【請求項４】
貨幣の出金指示を、束またはバラを指定することのできる出金操作部を備え、
前記出金操作部の指定に応答して、前記出金処理手段は、前記バラ収納庫から繰り出す貨幣を前記まとめ装置を経由するか否かを切り換えることを特徴とする、請求項３記載の貨幣処理装置。
【請求項５】
前記第１の入金処理手段は、前記まとめ装置に与えられた貨幣が所定枚数に達しないときは、前記第１金種用バラ収納庫から第１金種の貨幣を繰り出し、前記まとめ装置に所定枚数の貨幣をまとめさせ、それを束収納庫へ搬送させることを特徴とする、請求項３記載の貨幣処理装置。
【請求項６】
前記第１金種の貨幣の入金が取り消されたことに応答して、前記束収納庫から貨幣束にされた第１金種の入金貨幣を返却する返却処理手段を有することを特徴とする、請求項１記載の貨幣処理装置。
【発明の詳細な説明】
【技術分野】
【０００１】
この発明は、貨幣（硬貨または紙幣）を種類毎（金種毎）に整理して収容したり、収容した貨幣を出金する貨幣処理装置に関する。
【背景技術】
【０００２】
金融機関等においては、貨幣の入金および出金を処理するための現金出納機としての貨幣処理装置が用いられている。この種の貨幣処理装置は、回収された貨幣を入金口から装置内に取り込み、貨幣の種類を判別し、種類毎に貨幣を分類して収納する。その際、多量に流通する貨幣、たとえば中国においては１００元紙幣は、１００枚を束ねた紙幣束にする処理が行われる。【０００３】
ところで、下記特許文献１に開示された紙幣処理装置は、取り扱う金種別の収納庫を備え、入金された紙幣を金種別に収納庫に収納する構成となっている。そして、収納庫内の紙幣の枚数が規定枚数以上になったときに、紙幣を結束部へ送り、紙幣束に帯封する構成である。また、モードを切り換えることにより、特定の金種の紙幣については、収納庫へ一旦収納せずに、入金された紙幣を直接結束部へ搬送して紙幣束に帯封することもできる。
【特許文献１】特開平１０−１０５７７６号公報
【発明の開示】
【発明が解決しようとする課題】
【０００４】
特許文献１に開示された紙幣処理装置は、特定金種の大口入金に対処するため、処理モードを切り換えて、特定金種の紙幣は金種別収納庫を経由することなく結束部へ搬送して、紙幣束にするまでの処理時間の短縮を図る構成を提案している。
ところが、特許文献１記載の紙幣処理装置は、特定金種に対しては処理モードを切り換えることにより対処しているだけであるから、装置全体の構成の小型化ができないという課題がある。【０００５】
すなわち、取り扱う金種全てに対して同一構成の収納庫等を備えており、処理モードを切り換えることにより、特定金種に対してだけ処理の仕方を変更できるという構成のため、金種毎に機構や機能が設定されておらず、不要な機構や不要な機能が搭載された装置であるといえ、コスト面やスペース面で改良すべき余地が残されている。
この発明は、このような従来技術の課題を解決して、小型化、コンパクト化を達成することができ、かつ、貨幣処理を良好に行える貨幣処理装置を提供することを目的とする。【０００６】
この発明は、金種毎に使用頻度の高い機能が搭載されていて、不要な機能は少なく、効率の良い貨幣処理を実現できる貨幣処理装置を提供することを他の目的とする。
この発明は、さらに、ユーザの要望を満たす出金処理が行える貨幣処理装置を提供することを他の目的とする。
【課題を解決するための手段】
【０００７】
この発明の貨幣処理装置（１）は、貨幣が入金される入金口（３）と、貨幣が出金される出金口（８，１８）と、前記入金口から入金される貨幣の金種を識別するための識別ユニット（５）と、第１金種の貨幣だけのために設けられた束収納庫（３５）と、第２金種の貨幣のために設けられたバラ収納庫（９ｃ，９ｄ，９ｅ）と、所定枚数の貨幣を整理して貨幣束にまとめるまとめ装置（１５，１６，１７）と、前記入金口から入金される貨幣を前記識別ユニット、バラ収納庫、束収納庫、まとめ装置または出金口へと搬送するための搬送路（６，２０〜２７）と、前記識別ユニット（５）により第１金種と認識された貨幣を、前記搬送路により前記まとめ装置へ搬送させ、まとめ装置がまとめた貨幣束を前記搬送路により前記束収納庫へ搬送させる第１の入金処理手段（５１，Ｓ２，Ｓ８〜Ｓ１２）と、前記識別ユニット（５）により第２金種と認識された貨幣を、前記搬送路により前記バラ収納庫へ搬送させる第２の入金処理手段（５１，Ｓ２〜Ｓ４，Ｓ６，Ｓ７）と、を含むことを特徴とする貨幣処理装置である。【０００８】
なお、項において、括弧内の英数字は、後述の実施形態における対応構成要素の参照符号を示すが、これらの参照符号により発明を限定する趣旨ではない。
上記の構成によれば、貨幣処理装置（１）には、束収納庫（３５）は第１金種の貨幣だけのために設けられている。つまり、金種毎に異なる構成要素を備えている。よって、処理すべき複数金種の貨幣に対し、各貨幣の処理量に応じて必要な構成要素を組み合わせて、無駄の少ない装置を構築することができる。【０００９】
また、第１金種の貨幣は、まとめ装置（１５，１６，１７）で貨幣束にまとめられて束収納庫（３５）へと搬送され、第２金種の貨幣は、バラ収納庫（９ｃ，９ｄ，９ｅ）へ搬送されるから、入金される貨幣の金種に応じて、それぞれ最適な処理を施し、入金貨幣を迅速に整理して収納することができる。また、出金に備えた準備が行える。
この発明の貨幣処理装置（１）は、出金指示の入力に応答して、第１金種の貨幣は、前記束収納庫（３５）から貨幣束を繰り出させ、第２金種の貨幣は、前記バラ収納庫（９ｃ，９ｄ，９ｅ）から貨幣を繰り出させ、前記まとめ装置（１５，１６，１７）によって貨幣束にまとめさせる出金処理手段（５１，Ｓ２７，Ｓ２８）と、を含む構成であってもよい。【００１０】
上記の構成によれば、貨幣処理装置（１）から貨幣を出金する場合に、第１金種の貨幣も第２金種の貨幣も貨幣束にまとめられて出金されるから、まとまった額の出金に適した貨幣処理装置とすることができる。この場合において、たとえば流通量の多い第１金種の貨幣（たとえば中国においては、１００元紙幣）は、入金時に紙幣束にまとめられて、出金に備えられているから、出金指示の入力に応答して、迅速に紙幣束を出金することができる。よって、流通量の多い金種の貨幣の出金に対する処理時間を短縮でき、操作性の良い貨幣処理装置とすることができる。【００１１】
この発明の貨幣処理装置（１）は、第１金種のために設けられた第１金種用バラ収納庫（９ｂ）をさらに有し、所定の指令に応答して、前記識別ユニット（５）により第１金種と識別された貨幣を、前記搬送路（６，２６）により前記第１金種用バラ収納庫（９ｂ）へ搬送させる第３の入金処理手段（Ｓ８，Ｓ１３）、を備えていてもよい。
上記の構成によれば、第１金種用として、束収納庫（３５）に加えて第１金種用バラ収納庫（９ｂ）が備えられているので、たとえば流通量の多い第１金種の貨幣であっても、小口出金等に対処できる構成となり、使い勝手が向上した貨幣処理装置とすることができる。【００１２】
この発明の貨幣処理装置（１）は、貨幣の出金指示を、束またはバラを指定することのできる出金操作部（５２，５２４）を備え、前記出金操作部の指定に応答して、前記出金処理手段は、前記バラ収納庫から繰り出す貨幣を前記まとめ装置を経由するか否かを切り換える構成としてもよい。
上述の構成によれば、バラ収納庫（９ｃ，９ｄ，９ｅ）に収納された第２金種の貨幣を出金する際に、バラのまま出金するか、貨幣束にまとめて出金するかを切り換えられるため、出金額の多寡等に応じた出金処理を行うことができる。【００１３】
この発明の貨幣処理装置は（１）、前記第１の入金処理手段は、前記まとめ装置（１５，１６）に与えられた貨幣が所定枚数に達しないときは、前記第１金種用バラ収納庫（９ｂ）から第１金種の貨幣を繰り出し、前記まとめ装置（１７）に所定枚数の貨幣をまとめさせ、それを束収納庫（３５）へ搬送させる構成としてもよい。
上述の構成によれば、第１の金種の貨幣の入金時に、貨幣束にまとめるのに枚数が不足している場合に、まとめ手段（１５，１６）に端数の貨幣をそのまま待機させておくことなく、不足枚数の貨幣を第１金種用バラ収納庫（９ｂ）から繰り出して、所定枚数の貨幣束としてまとめることができる。よって、第１金種の貨幣の処理および取り扱いがより便利な装置とすることができる。【００１４】
この発明の貨幣処理装置（１）は、さらに、前記第１金種の貨幣の入金が取り消されたことに応答して、前記束収納庫（３５）から貨幣束にされた第１金種の入金貨幣を返却する返却処理手段（Ｓ１５，Ｓ１６）を有していてもよい。
上述の構成によれば、貨幣処理装置（１）にバラで入金された貨幣を、束で返却するため、入金した貨幣を貨幣束というまとまった状態で受け取ることができ、枚数確認も容易になる。よって、大口入金の場合に、使い勝手の良い装置とすることができる。【００１５】
なお、第１金種としては、１金種（たとえば１００元紙幣）のみとしてもよいし、複数の金種（たとえば１００元紙幣と５０元紙幣（中国の場合）、一万円札と千円札（日本の場合）のように、流通量の多い２金種または３金種）を定めてもよい。そして、複数の金種を第１金種とした場合は、束収納庫３５をその複数の金種分だけ設けるようにすればよい。
【図面の簡単な説明】
【００１６】
【図１】この発明の一実施形態に係る紙幣処理装置１の全体構成を示す図解的な縦断面図である。
【図２】紙幣処理装置１の制御回路構成ブロック図である。
【図３】入金処理制御の一例を示すフローチャートである。
【図４】出金処理制御の一例を示すフローチャートである。
【符号の説明】
【００１７】
１    紙幣処理装置
３    ホッパー（入金口）
５    識別ユニット
６    搬送路
８    出金口
９、９ａ、９ｂ、９ｃ、９ｄ、９ｅ    バラ収納庫（紙幣収納庫）
１４    一時保留部
１５、１６    帯封用集積部
１７    帯封装置
１８    紙幣束出金口
２０、２１、２２、２３、２４、２５、２６、２７    分岐路
３４    束搬送路
３５    束収納庫
５１    制御部
【発明を実施するための最良の形態】
【００１８】
以下には、図面を参照して、この発明の実施形態について具体的に説明をする。
＜全体構成の概要＞
図１は、この発明の一実施形態に係る紙幣処理装置１の全体構成を示す図解的な縦断面図である。
この紙幣処理装置１は、銀行等に設置され、紙幣の出納管理を行うための現金出納機である。【００１９】
図１を参照して、紙幣処理装置１は、筐体２を有している。図１における左側が筐体２の正面であり、正面には、紙幣を入金するための入金口としてのホッパー３、開口部に開閉可能なシャッターが設けられた出金口８、リジェクト紙幣排出口７、紙幣束出金口１８が備えられている。
筐体２内には、取り込み経路４と、識別ユニット５と、搬送路６と、５つの紙幣収納庫（以下「バラ収納庫」という。）９（個別に区別するときは、左から順に９ａ、９ｂ、９ｃ、９ｄ、９ｅとする。）と、一時保留部１４と、２つの帯封用集積部１５、１６と、帯封装置１７とが内蔵されている。【００２０】
取り込み経路４は、ホッパー３にセットされた紙幣を１枚ずつ取り込み、搬送路６へと送るための経路である。
識別ユニット５は、搬送路６を搬送される紙幣の金種、正損、真偽等を識別したり、紙幣が表向きで送られているか裏向きで送られているかを識別したりするためのものである。【００２１】
搬送路６は、識別ユニット５で識別された紙幣を搬送するためのものであって、ループ状をなしており、搬送路６上の紙幣は、循環するように搬送され得る。そして、搬送路６の途中に、識別ユニット５が配置され、搬送路６での紙幣の搬送方向（図１における時計回りの方向）に見て、搬送路６における識別ユニット５の下流側には、分岐路２０、２１、２２、２３、２４、２５、２６、２７の各一端が、この順番で接続されている。【００２２】
分岐路２０の他端は、リジェクト紙幣排出口７または出金口８に接続されている。分岐路２１の他端は一時保留部１４に接続され、分岐路２２の他端は帯封用集積部１５または１６に接続されている。分岐路２３の他端はバラ収納庫９ｅに接続され、分岐路２４の他端はバラ収納庫９ｄに接続され、分岐路２５の他端はバラ収納庫９ｃに接続され、分岐路２６の他端はバラ収納庫９ｂに接続され、分岐路２７の他端はバラ収納庫９ａに接続されている。【００２３】
ここで、搬送路６と分岐路２０〜２７のそれぞれとの接続位置には、分岐爪（図示せず）が設けられており、この分岐爪を切り換えることによって、搬送路６上の紙幣を所望の分岐路２０〜２７へ搬送することができる。
ホッパー３から入金された紙幣のうち、識別ユニット５においてリジェクト紙幣（偽券等）と識別された紙幣は、搬送路６から分岐路２０へと搬送され、リジェクト紙幣排出口７へ排出される。【００２４】
ホッパー３から入金されたリジェクト紙幣以外の紙幣は、通常、分岐路２１を経て一時保留部１４に保留される。そして、入金が確定後、金種に応じて、分岐路２３〜２７のいずれかを経てバラ収納庫９に収納される。また、各バラ収納庫９に収納された金種別の紙幣は、各バラ収納庫９から繰り出され、搬送路６から分岐路２２を経て帯封用集積部１５または１６へ与えられる。そして、金種別に集積された所定枚数（たとえば１００枚）の集積紙幣は、帯封装置１７で紙幣束に帯封される。帯封用集積部１５，１６および帯封装置１７がまとめ装置を構成している。紙幣束は搬送ベルト３３で搬送され、紙幣束出口へ出金される。あるいは、帯封装置１７で帯封された紙幣束は、束搬送路３４によって束収納庫３５へ搬送される
一時保留部１４に保留された紙幣は、入金がキャンセルされた場合、搬送路６および分岐路２０を経て、出金口８から返却される。【００２５】
以上説明した紙幣処理は、一般的な説明であり、以下に説明するように、紙幣処理装置１の設定内容を変更等することによって、紙幣を所望の態様で処理することができる。
この実施形態に係る紙幣処理装置１の機械構成上の特徴は、特定金種としての第１金種の貨幣（紙幣処理装置１がたとえば中国の銀行で使用される場合を例にとって説明すると、特定金種としての第１金種の貨幣は、流通量の多い１００元紙幣を例示できる。）のために束収納庫３５が備えられている。束収納庫３５は、１００元紙幣束専用の収納庫で、他の金種の紙幣用の束収納庫は設けられていない。このように、第１金種の紙幣（たとえば１００元紙幣）だけのために特有の機械的構成を具備している。言い換えれば、取り扱う金種の全紙幣に対して等しい構成要素を備えているわけではなく、特定金種の紙幣に対してだけの専用の構成を備えている。これにより、たとえば取扱量の多い特定金種（たとえば１００元紙幣）の処理を効率的に行うことができ、他の金種にとって不要な機能を搭載することなく、装置全体の稼働効率を向上させることができる。【００２６】
なお、第１金種は、１００元紙幣１種類とするのに限らず、たとえば１００元紙幣および５０元紙幣というように、流通量の多い２種類の金種を第１金種としてもよい。その場合は、束収納庫３５は、１００元紙幣用および５０元紙幣用の２種類が設けられる。
束収納庫３５は、図解的なブロックで示されているが、実際の装置では、図１において、筐体２の奥側に束収納庫３５が配置され、帯封装置１７で帯封された１００元紙幣束が、紙面に直交方向に奥側へ搬送され、筐体２の奥側に設けられた束収納庫３５へ収納される構成となっている。【００２７】
５つのバラ収納庫９ａ〜９ｅは、紙幣処理装置１がたとえば中国の銀行で使用される場合は、バラ収納庫９ａは一括用（金種を区別しない）バラ収納庫と設定され、バラ収納庫９ｂは１００元紙幣用バラ収納庫と設定され、バラ収納庫９ｃは５０元紙幣用バラ収納庫と設定され、バラ収納庫９ｄは２０元紙幣用バラ収納庫と設定され、バラ収納庫９ｅは１０元紙幣用バラ収納庫と設定される。【００２８】
この実施形態においては、５０元紙幣、２０元紙幣および１０元紙幣が第２金種の紙幣であり、１００元紙幣が第１金種の紙幣である。よって、バラ収納庫９ａ〜９ｅは、第１金種および第２金種を問わず、各金種の紙幣ごとに設けられている。
＜制御回路ブロック＞
図２に、この発明の一実施形態に係る紙幣処理装置１の制御回路ブロック図を示す。紙幣処理装置１には、制御中枢として、たとえばマイクロコンピュータ等で構成された制御部５１が備えられている。また、オペレータ（紙幣処理装置１がたとえば銀行に設置されている場合、銀行の行員）が操作できる操作部５２が備えられていて、操作部５２が操作されると、その操作信号が制御部５１へ与えられる。操作部５２には、たとえば入金キー５２１、出金キー５２２、バラ収納設定キー５２３、出金選択キー５２４、取消キー５２５等が備えられている。【００２９】
制御部５１には、また、識別ユニット５で識別された紙幣の識別情報が与えられる。
制御部５１は、操作部５２および識別ユニット５から与えられる入力に応答して、取り込み経路４、搬送路６、分岐路２０〜２７、一時保留部１４、バラ収納庫９ａ〜９ｅ、帯封集積部１５、１６、帯封装置１７、搬送ベルト３３、束搬送路３４および束収納庫３５の駆動や動作を制御する。
＜入金制御動作＞
図３は、図２の制御部５１により行われる紙幣処理装置１の入金制御動作の一例を示すフローチャートである。【００３０】
図３の流れに従い、図１および図２を参照しながら、紙幣処理装置１の入金制御動作について説明する。
制御部５１は、入金ありか否かの判別をする（ステップＳ１）。オペレータが回収した紙幣をホッパー３に集積し、入金キー５２１を押すと、制御部５１は入金ありと判別し、取り込み経路４を駆動させ、ホッパー３に集積された紙幣を１枚ずつ順に装置内に取り込む。取り込まれる紙幣は、順に識別ユニット５へ送られて、紙幣の金種、正損、真偽等が判別される。【００３１】
制御部５１は、識別ユニット５から与えられる識別信号に基づいて、取り込まれた紙幣が１００元紙幣か否かの判別をする（ステップＳ２）。すなわち、取り込まれた紙幣が、特定金種としての第１金種か否かの判別がされる。そして、１００元紙幣でない場合は、その紙幣は一時保留部１４へ搬送される（ステップＳ３）。
その後、オペレータにより取消キー５２５が押され、制御部５１が入金取消を判別すると（ステップＳ４でＹＥＳ）、一時保留部１４に保留された紙幣は、出金口８へ搬送されて返却される。【００３２】
取消キー２５が押されない場合には、処理はステップＳ４からＳ６へと進み、制御部５１は入金確定か否かを判別する（ステップＳ６）。入金確定は、たとえば入金終了後所定時間が経過したとき、または入金確定キー（図示しないが、たとえば操作部５２に設けられていてもよい）が操作されたことにより肯定される。そして入金確定により、一時保留部１４に保留されていた紙幣は、バラ収納庫９、より具体的にはこの実施例ではバラ収納庫９ｃ、９ｄまたは９ｅへ搬送されて、金種別にバラ収納庫９ｃ〜９ｅに収納される（ステップＳ７）。【００３３】
一方、ステップＳ２で、制御部５１により第１金種である１００元紙幣と判別されると（ステップＳ２でＹＥＳ）、続いてバラ収納の設定があるか否かの判別がされる（ステップＳ８）。バラ収納の設定は、操作部５２のバラ収納設定キー５２３が押されたことにより行われる。オペレータにより、バラ収納設定キー５２３が押されていない場合には、制御部５１はバラ収納の設定なしと判別し（ステップＳ８でＮＯ）、１００元紙幣を帯封用集積部１５または１６へ搬送する（ステップＳ９）。【００３４】
そして、制御部５１は、帯封用集積部１５または１６に集積された１００元紙幣が、所定枚数、たとえば１００枚になったか否かを判別し（ステップＳ１０）、１００元紙幣が１００枚集積されると、集積された１００枚の１００元紙幣を帯封装置１７へ送って、帯封させる（ステップＳ１１）。帯封された１００元の紙幣束は、束搬送路３４により束収納庫３５へ搬送されて収納される（ステップＳ１２）。【００３５】
ステップＳ８で、オペレータがバラ収納設定キー５２３を押しており、バラ収納の設定ありと判別されると（ステップＳ８でＹＥＳ）、１００元紙幣は帯封用集積部１５もしくは１６へ搬送されず、また、一時保留部１４へ送られることもなく、１００元用バラ収納庫９ｂへ搬送され、バラ収納庫９ｂに収納される（ステップＳ１３）。なお、このような処理に代え、バラ収納の場合は、１００元紙幣は、一時保留部１４へ送られて一旦保留され、その後１００元用バラ収納庫９ｂへ搬送されて収納されるようにしてもよい。【００３６】
ステップＳ１０において、帯封用集積部１５または１６に集積された１００元紙幣が１００枚に達していない場合には、入金が終了したか否かの判別がされる（ステップＳ１４）。すなわち、多量の１００元紙幣が入金され、１００元紙幣束がいくつか作成され、束収納庫３５に収納されたとしても、ホッパー３からの１００元紙幣の入金は、１００枚の整数倍であるとは限らない。このため、帯封用集積部１５または１６に集積された１００元紙幣が１００枚に達しないで、つまり端数（１〜９９枚）で入金終了となる場合がある。【００３７】
制御部５１は、帯封用集積部１５または１６に集積された１００元紙幣が１００枚未満で入金終了を判別すると、さらに、入金取消がされたか否かの判別をする（ステップＳ１５）。入金終了後に入金取消が判別されたときには、入金された１００元紙幣が返却される（ステップＳ１６）。この返却は、入金された１００元紙幣が、１００枚以上の場合には、１００枚単位の１００元紙幣は紙幣束として束収納庫３５から繰り出されて返却される。また、１００枚未満の１００元紙幣は、１００元用のバラ収納庫９ｂから繰り出されて、出金口８へ返却される。なお、この場合において、１００元紙幣のバラ収納時に、１００元紙幣が一時保留部１４で一旦保留されるようにした場合（以上、ステップＳ１３の処理の変形例の場合）は、１００元紙幣は一時保留部１４から返却される。【００３８】
このように１００元紙幣の大口入金があったが、入金が取り消された時には、バラで入金された多量の１００元紙幣がバラで返却されるのではなく、紙幣束として返却されるとともに、１００枚に満たない紙幣はバラで返却される。よって、返却後の１００元紙幣の枚数確認が容易で、オペレータ（銀行の行員）にとって使い勝手の良い装置とすることができる。【００３９】
ステップＳ１５で、入金取消なしと判別されたときには、ステップＳ１７で入金確定か否かの判別がされる。入金確定か否かの判別は、ステップＳ６での入金確定判別と同様、たとえば入金終了後所定時間が経過したか、入金確定キーが操作されたことにより肯定される。
そして、制御部５１は、入金が確定すると、帯封用集積部１５または１６に集積された１００元紙幣を、１００枚にするための不足枚数を１００元用バラ収納庫９ｂから繰り出し、補充する（ステップＳ１８）。この補充により、帯封用集積部１５または１６に集積された１００元紙幣は１００枚となる。そして１００枚の１００元紙幣は帯封装置１７へ与えられて帯封され（ステップＳ１１）、束収納庫３５へ搬送されて収納される（ステップＳ１２）。【００４０】
この実施形態では、入金が終了し確定した後、帯封用集積部１５または１６に所定枚数（たとえば１００枚）に達しない端数の１００元紙幣が残った場合に、それをそのままとせず、不足枚数を１００元用バラ収納庫９ｂから補充し、所定枚数（たとえば１００枚）の紙幣束に処理する。よって、帯封用集積部に１００元紙幣の端数が残らず、その後の入金または出金に帯封用集積部１５，１６を使用できるように準備が整い、スムーズな入金または出金処理を行うことができる等の効果を奏する。【００４１】
図３に示す入金処理において、バラ収納の設定をオペレータにより操作させるのに代えて、自動でバラ収納設定が行えるようにすることもできる。
たとえば、１００元用バラ収納庫９ｂにおける１００元紙幣の収納量を検出する。そして１００元紙幣の収納量が常に一定量以上に保たれるようにする。より具体的には、バラ収納庫９ｂに収納されている１００元紙幣が、所定枚数未満になったときには、自動的にバラ収納の設定を行い、バラ収納庫９ｂに収納されている１００元紙幣が所定枚数以上であれば、自動的にバラ収納設定を解除する構成としてもよい。
＜出金制御動作＞
図４は、紙幣処理装置１における出金制御動作の一例を示すフローチャートである。【００４２】
オペレータにより、操作部５２の出金キー５２４が操作されると、制御部５１は、出金指令ありの判別をする（ステップＳ２１でＹＥＳ）。そして制御部５１は、出金は束で行うのか、バラで行うのかの判別をする（ステップＳ２２）。束出金をするか、バラ出金をするかは、操作部５２に備えられた出金選択キー５２４をオペレータが操作することにより選択できる。【００４３】
制御部５１は、束出金でないと判別したとき、すなわちバラ出金であると判別した場合には（ステップＳ２２でＮＯ）、バラ収納庫９から紙幣を繰り出させ（ステップＳ２３）、出金口８へ紙幣を搬送して、出金を行う（ステップＳ２４）。なお、このフローチャートでは省略しているが、出金処理は、出金金額に基づき、出金紙幣の金種および枚数が決定されて、対応するバラ収納庫９からの紙幣の繰り出しが行われる。【００４４】
ステップＳ２２で、束出金であると判別された場合には（ステップＳ２２でＹＥＳ）、出金紙幣が１００元紙幣か否かの判別がされる（ステップＳ２５）。そして出金紙幣が１００元紙幣の場合は、束収納庫３５から１００元紙幣束が繰り出され（ステップＳ２６）、束搬送路３４および搬送ベルト３３により紙幣束出金口１８へ１００元紙幣束が出金される。【００４５】
一方、出金紙幣が１００元紙幣でない場合には（ステップＳ２５でＮＯ）、バラ収納庫９ｃ、９ｄまたは９ｅからバラ紙幣が繰り出され、帯封用集積部１５または１６へ搬送される（ステップＳ２７）。そして１００枚の紙幣が集積されると、帯封装置１７で帯封されて紙幣束とされ（ステップＳ２８）、紙幣束は搬送ベルト３３により紙幣束出金口１８へ搬送されて出金される（ステップＳ２９）。【００４６】
このように、この実施形態では、１００元紙幣（特定金種としての第１金種の紙幣）は、予め紙幣束にされ、束収納庫３５に収納されているので、出金処理時には、その束収納庫３５から繰り出されて出金される。したがって、１００元紙幣は、束出金に要する時間が短時間で済む。
一方、５０元紙幣、２０元紙幣、１０元紙幣等の第２金種の紙幣については、束出金の要請があるごとに、その都度、紙幣束を作成して出金する。このため、出金に多少の時間を要するが、紙幣束を事前に作成しておき、それを収納しておかなくてもよいので、紙幣束収納スペースが必要でなく、紙幣処理装置１の大型化を招かないという利点がある。【００４７】
以上のように、この実施形態に係る紙幣処理装置１は、取り扱う金種の全紙幣に対して等しい構成および処理を有するものではなく、取り扱う金種の流通量、取り扱い量等に応じ、金種毎に個別の構成および処理が採用されている。より具体的には、第１金種の紙幣のための構成と、第２金種の紙幣のための構成とが異なる構成とされている。それにより、取り扱い金種毎に最適な処理を迅速に行うことができ、しかも装置の大型化を招かないという特有の効果を奏する。【００４８】
以上の実施形態は、紙幣を例にとって説明したが、硬貨の場合であっても、この装置を適用することができる。すなわち、たとえば日本において、１円硬貨、５円硬貨、１０円硬貨、５０円硬貨、１００円硬貨および５００円硬貨を処理する場合に、たとえば１００円硬貨を特定金種の第１金種の硬貨として処理するための束収納庫を設け、他の金種の硬貨は第２金種の硬貨としてバラ収納庫だけとして対処することができる。また、第２金種の硬貨を、１００円硬貨および１０円硬貨と、２種類の金種の硬貨とすることも可能である。【００４９】
この発明は、以上説明した実施形態に限定されるものではなく、請求項記載の範囲内において種々の変更が可能である。
【図１】
2009118838.tif 000003
【図２】
2009118838.tif 000004
【図３】
2009118838.tif 000005
【図４】
2009118838.tif 000006
【国際調査報告】
2009118838.tif 000007
2009118838.tif 000008
2009118838.tif 000009
2009118838.tif 000010
2009118838.tif 000011
2009118838.tif 000012
2009118838.tif 000013